【手続補正書】
【提出日】平成23年4月21日(2011.4.21)
【手続補正１】
【補正対象書類名】特許請求の範囲
【補正対象項目名】全文
【補正方法】変更
【補正の内容】
【特許請求の範囲】
【請求項１】
水、顔料、水溶性有機溶剤及びグラフトコポリマーとを含むインクジェット用顔料インクにおいて、該グラフトコポリマーが親水性セグメントと疎水性セグメントとを有し、
該疎水性セグメントが、アニオン性モノマーと下記式（１）で表される芳香族モノマーとを共重合することによって得られるものであって、該芳香族モノマー（Ａ）と該アニオン性モノマー（Ｂ）との共重合比率がモノマーの質量比でＡ：Ｂ＝４：１乃至１６：１であり、かつ、
上記親水性セグメントが、アニオン性モノマーを重合することによって得られるものであることを特徴とするインクジェット用顔料インク。
2008291239.tif 000001
（上記式（１）中、Ａｒはベンゼン環、縮合ベンゼン環及び複素芳香環から選ばれる芳香環及びその誘導体を表し、ＲはＨ又はＣＨ3を表し、ＸはＯ又はＮＨを表す。）
【請求項２】
前記グラフトコポリマーの主鎖が疎水性セグメントであり、側鎖が親水性セグメントである請求項１に記載のインクジェット用顔料インク。
【請求項３】
前記親水性セグメントを形成するアニオン性モノマーがアクリル酸である請求項１又は２に記載のインクジェット用顔料インク。
【請求項４】
前記疎水性セグメントを形成するアニオン性モノマーがアクリル酸である請求項１乃至３のいずれか１項に記載のインクジェット用顔料インク。
【請求項５】
前記疎水性セグメントを形成するための全モノマーに含まれる疎水性モノマーの割合が質量比で５０質量％以上である請求項１乃至４のいずれか１項に記載のインクジェット用顔料インク。
【請求項６】
前記グラフトコポリマーの側鎖の重量平均分子量が３００以上２，０００以下である請求項１乃至５のいずれか１項に記載のインクジェット用顔料インク。
【請求項７】
前記グラフトコポリマーの酸価が５０ｍｇＫＯＨ／ｇ以上３００ｍｇＫＯＨ／ｇ以下である請求項１乃至６のいずれか１項に記載のインクジェット用顔料インク。
【請求項８】
前記疎水性セグメントを形成する前記芳香族モノマーがベンジルメタクリレートである請求項１乃至７のいずれか１項に記載のインクジェット用顔料インク。
【請求項９】
顔料インクと、該顔料インクと接触すると該顔料インクに含まれる顔料の粒子径が増大するような反応液とを有するインクセットにおいて、該顔料インクが、請求項１乃至８のいずれか１項に記載のインクジェット用顔料インクであることを特徴するインクセット。
【手続補正２】
【補正対象書類名】明細書
【補正対象項目名】００１５
【補正方法】変更
【補正の内容】
【００１５】
上記目的は以下の本発明によって達成される。
すなわち、本発明は、水、顔料、水溶性有機溶剤及びグラフトコポリマーとを含むインクジェット用顔料インクにおいて、該グラフトコポリマーが親水性セグメントと疎水性セグメントとを有し、該疎水性セグメントが、アニオン性モノマーと下記式（１）で表される芳香族モノマーとを共重合することによって得られるものであって、該芳香族モノマー（Ａ）と該アニオン性モノマー（Ｂ）との共重合比率がモノマーの質量比でＡ：Ｂ＝４：１乃至１６：１であり、かつ、上記親水性セグメントが、アニオン性モノマーを重合することによって得られるものであることを特徴とするインクジェット用顔料インクを提供する。
2008291239.tif 000002
（上記式（１）中、Ａｒはベンゼン環、縮合ベンゼン環及び複素芳香環から選ばれる芳香環及びその誘導体を表し、ＲはＨ又はＣＨ3を表し、ＸはＯ又はＮＨを表す。）
【手続補正３】
【補正対象書類名】明細書
【補正対象項目名】００７５
【補正方法】変更
【補正の内容】
【００７５】
［参考例１］
本参考例では、主鎖が親水性セグメント、側鎖が疎水性セグメントであるグラフトコポリマーからなる分散樹脂を用いた顔料インクについて述べる。
【手続補正４】
【補正対象書類名】明細書
【補正対象項目名】００８０
【補正方法】変更
【補正の内容】
【００８０】
［評価］
実施例１のカラーインクの評価方法及び評価基準にしたがって、シアンインクＣ２を評価した。評価結果を下記表２に示す。
2008291239.tif 000003
上記のように、本参考例の顔料インクは、高速印字であっても発色性の高い印字物を得ることができ、かつ吐出安定性の高いインクであった。
【手続補正５】
【補正対象書類名】明細書
【補正対象項目名】００８１
【補正方法】変更
【補正の内容】
【００８１】
［参考例２］
本参考例では、主鎖が疎水性セグメント、側鎖が親水性セグメントからなるグラフトコポリマーからなる分散樹脂を用いた顔料インクについて述べる。
【手続補正６】
【補正対象書類名】明細書
【補正対象項目名】００８４
【補正方法】変更
【補正の内容】
【００８４】
＜顔料分散液Ｍ２の調製＞
分散樹脂として分散樹脂Ａ３を、顔料としてマゼンタ顔料であるＣＲＯＭＯＰＨＴＡＬ  ＭＡＧＥＮＴＡＳＴ（チバスペシャルティケミカルズ製）を用いた以外は参考例１と同様にして顔料分散液Ｍ２を得た。
【手続補正７】
【補正対象書類名】明細書
【補正対象項目名】００８６
【補正方法】変更
【補正の内容】
【００８６】
［評価］
得られたマゼンタインクＭ２を実施例１に示したカラーインクの評価方法と基準にしたがって評価した。評価結果を下記表３に示す。
2008291239.tif 000004
上記のように、本参考例の顔料インクは、高速印字であっても発色性の高い印字物を得ることができ、かつ吐出安定性の高いインクであった。
【手続補正８】
【補正対象書類名】明細書
【補正対象項目名】００８７
【補正方法】変更
【補正の内容】
【００８７】
［参考例３］
本参考例では、主鎖が疎水性セグメント、側鎖が親水性セグメントからなり、側鎖の親水性セグメントを形成するアニオン性モノマーがアクリル酸であるグラフトコポリマーからなる分散樹脂を用いた顔料インクについて述べる。
【手続補正９】
【補正対象書類名】明細書
【補正対象項目名】００８９
【補正方法】変更
【補正の内容】
【００８９】
＜顔料分散液Ｙ２の調製＞
分散樹脂として分散樹脂Ａ４を、顔料としてイエロー顔料（Ｈａｎｓａ  Ｂｒｉｌｌｉａｎｔ  Ｙｅｌｌｏｗ  ５ＧＸＢ、クラリアントジャパン製）を用いた以外は参考例１と同様にして顔料分散液Ｙ２を得た。
【手続補正１０】
【補正対象書類名】明細書
【補正対象項目名】００９１
【補正方法】変更
【補正の内容】
【００９１】
［評価］
得られたイエローインクＹ２を実施例１に示したカラーインクの評価方法と基準にしたがって評価した。評価結果を下記表４に示す。
2008291239.tif 000005
上記のように、本参考例の顔料インクは、高速印字であっても発色性の高い印字物を得ることができ、かつ吐出安定性の高いインクであった。
【手続補正１１】
【補正対象書類名】明細書
【補正対象項目名】００９２
【補正方法】変更
【補正の内容】
【００９２】
［実施例６〜９、参考例４、参考例５］
本実施例及び参考例では、以下の分散樹脂を用いた顔料インクについて述べる。すなわち、用いた分散樹脂は、主鎖が疎水性セグメント、側鎖が親水性セグメントからなり、側鎖の親水性セグメントを形成するアニオン性モノマー及び主鎖の疎水性セグメントを形成するアニオン性モノマーがアクリル酸であるグラフトコポリマーからなる。
【手続補正１２】
【補正対象書類名】明細書
【補正対象項目名】００９４
【補正方法】変更
【補正の内容】
【００９４】
2008291239.tif 000006
【手続補正１３】
【補正対象書類名】明細書
【補正対象項目名】００９７
【補正方法】変更
【補正の内容】
【００９７】
2008291239.tif 000007
上記のように、本参考例の顔料インクは、高速印字であっても全てのインクで発色性の高い印字物を得ることができ、かつ吐出安定性も確保されたインクであった。
【手続補正１４】
【補正対象書類名】明細書
【補正対象項目名】０１０５
【補正方法】変更
【補正の内容】
【０１０５】
［参考例６］
本参考例では、反応液と上記で作製した顔料インクからなるインクセットを用いた場合について述べる。
【手続補正１５】
【補正対象書類名】明細書
【補正対象項目名】０１０７
【補正方法】変更
【補正の内容】
【０１０７】
＜インクセットの作製及び評価＞
上記で得た反応液Ｓ１と、ブラックインクＫ２と、カラーインクＣ２、Ｍ２及びＹ２とを組み合わせて本実施例のインクセットとした。上記の、インクＫ２、Ｃ２、Ｍ２及びＹ２は、それぞれ、参考例１〜４で調製したものを用いた。このようにして得たインクセットを用いて、実施例１と同じ記録紙に反応液Ｓ１を先に付与した後、該反応液Ｓ１と各インクとが接するように、インクＫ２、Ｃ２、Ｍ２及びＹ２とを付与して印字物を得た。
【手続補正１６】
【補正対象書類名】明細書
【補正対象項目名】０１０８
【補正方法】変更
【補正の内容】
【０１０８】
［評価］
得られた印字物を実施例１に示した評価方法及び評価基準にしたがって評価した。評価結果を下記表９に示す。
2008291239.tif 000008
本参考例から明らかなように、反応液を使用するインクセットとすることで、印字部の発色性をさらに向上させることが可能である。